(57)【要約】【課題】  主桿に取付けて使用されるハンガー掛止具であって、主桿の軸方向の長さに限られた収納スペースに、より多くの衣服ハンガーを掛止することが可能且つ嵩張りの少ないハンガー掛止具を提供する。【解決手段】  本発明のハンガー掛止具１は、ハンガーを掛止可能な第１掛止桿４１と、前記第１掛止桿４１から下方に間隔をあけて設けられ且つハンガーを掛止可能な第２掛止桿４２と、を有し、前記第１掛止桿４１と前記第２掛止桿４２とが略平行であり、前記第２掛止桿４２が前後方向に揺動可能である。【選択図】  図１
2015136462.tif 000002
【特許請求の範囲】
【請求項１】
主桿に取付けられて使用されるハンガー掛止具であって、
ハンガーを掛止可能な第１掛止桿と、
前記第１掛止桿から下方に間隔をあけて設けられ且つハンガーを掛止可能な第２掛止桿と、を有し、
前記第１掛止桿と前記第２掛止桿とが略平行に配置され、
前記第２掛止桿が前後方向に揺動可能であるハンガー掛止具。
【請求項２】
前記第１掛止桿と前記第２掛止桿とを連結する連結部と、
前記第２掛止桿の揺動の基端となる揺動基端部と、を有し、
前記連結部と前記揺動基端部とによって前記第２掛止桿が前記第１掛止桿に揺動可能に連結されている請求項１に記載のハンガー掛止具。
【請求項３】
前記第２掛止桿から下方に間隔をあけて設けられ且つハンガーを掛止可能な第３掛止桿と、
前記第２掛止桿と前記第３掛止桿とを連結する連結部と、を有し、
前記第２掛止桿と前記第３掛止桿とが略平行に配置されている請求項１又は請求項２のいずれか一項に記載のハンガー掛止具。
【請求項４】
前記第３掛止桿が前後方向に揺動可能である請求項３に記載のハンガー掛止具。
【請求項５】
ハンガーを掛止可能な主桿と
前記主桿に固着された揺動基端部と、
前記揺動基端部に揺動可能に一端が取付けられている連結部と、
前記主桿から下方に間隔をあけて前記連結部の他端に取付けられ且つハンガーを掛止可能な掛止桿と、を有し、
前記主桿と前記掛止桿とが略平行に配置され、
前記掛止桿が前後方向に揺動可能であるハンガー掛止構造体。
【発明の詳細な説明】
【技術分野】
【０００１】
本発明は、衣服を掛けるハンガーを収納スペースに多数掛けることができるハンガー掛止具及びハンガー掛止構造体に関する。
【背景技術】
【０００２】
従来、衣服などを吊り下げて収納するための衣服吊下げ収納スペースとして、洋服ダンスやクローゼットなどの収納家具などが用いられている。このような収納家具は、木材で構成された伝統的な家具の他、近年ではパイプ材及びシート等を適宜組み立てた簡易組み立て型の家具など様々なものが知られている。
このような衣服吊下げ収納スペースは、金属製パイプ材などで形成された主桿が水平方向に架設されている。また、このような衣服吊下げ収納スペースは、一般的に、板状部材によって上壁面、下壁面、側壁面が囲まれた空間から構成されている。
前記主桿に、衣服の掛けられたハンガー（以下、衣服が掛けられた状態のハンガーを衣服ハンガーという）を直接掛けると、隣合う衣服ハンガーに掛けられた衣服の肩パッドなどの厚肉部分が重なり、衣服ハンガーの掛け数が限定される。このような問題を解決するため、例えば特許文献１、特許文献２に記載のハンガー掛止具が知られている。
【０００３】
特許文献１のハンガー掛止具は、フック体と、フック体の下端部に適宜連結手段を介して連設される掛止体とを備え、掛止体には、上下方向に沿って複数の掛止部が配設され、掛止部各々にハンガーなどを掛止できるように構成されている。
このフック体を主桿に掛止し、上下方向に連なって配設された掛止部各々にハンガーを掛止することにより、多くの衣服ハンガーをハンガー掛止具に掛けることができる。
しかしながら、特許文献１のハンガー掛止具に、衣服ハンガーを下方向に連ねて掛止していくと、衣服ハンガーに掛けられている衣服が収納スペースの下壁面に接触し、衣服に埃が付着する。さらに、上下方向長さが短い収納スペースに、特許文献１のハンガー掛止具を使用しても、上下に連ねて衣服ハンガーを掛けることは困難である。
【０００４】
特許文献２のハンガー掛止具は、主桿に掛止した際に両端側が主桿の下方側に突出するフック部材と、フック部材の一端側に設けられ且つハンガーが掛止される第１ハンガー掛止部材と、フック部材の他端側に設けられ且つハンガーが掛止される第２ハンガー掛止部材とを有し、第１ハンガー掛止部材が、第２ハンガー掛止部材よりも下方位置に設けられている。
この第１ハンガー掛止部材と第２ハンガー掛止部材に衣服ハンガーをそれぞれ左右交互に吊り下げていくと、隣合う衣服ハンガーに掛けられた衣服の厚肉部分が重ならず、隣合う衣服ハンガーの間隔を詰めて、より多くのハンガーを吊り下げ収納できる。
しかし、特許文献２のハンガー掛止具は、第１ハンガー掛止部材と第２ハンガー掛止部材が前後に間隔を空けた状態で固定配置されており、ハンガー掛止具自体が嵩張ってしまう。
【先行技術文献】
【特許文献】
【０００５】
【特許文献１】特開平１１−２２１１４３号公報
【特許文献２】特許第４９６９１４０号公報
【発明の開示】
【発明が解決しようとする課題】
【０００６】
本発明は、主桿に取付けて使用されるハンガー掛止具であって、主桿の軸方向の長さに限られた収納スペースに、より多くの衣服ハンガーを掛止することが可能且つ嵩張りの少ないハンガー掛止具を提供することを課題とする。
【課題を解決するための手段】
【０００７】
前記課題を解決すべく、本発明者は主桿に直接衣服ハンガーを掛止した場合よりも多くの衣服ハンガーを掛けられ、且つ、不要な時には前後に嵩張らないハンガー掛止具の鋭意検討を行い本願発明を完成させた。
本発明は、主桿に取付けられて使用されるハンガー掛止具であって、ハンガーを掛止可能な第１掛止桿と、前記第１掛止桿から下方に間隔をあけて設けられ且つハンガーを掛止可能な第２掛止桿と、を有し、前記第１掛止桿と前記第２掛止桿とが略平行であり、前記第２掛止桿が前後方向に揺動可能なハンガー掛止具を提供する。
【０００８】
本発明の好ましいハンガー掛止具は、前記第１掛止桿と前記第２掛止桿とを連結する連結部と、前記第２掛止桿の揺動の基端となる揺動基端部と、を有し、前記連結部と前記揺動基端部とによって前記第２掛止桿が前記第１掛止桿に揺動可能に連結されているハンガー掛止具である。
好ましくは、前記第２掛止桿から下方に間隔をあけて設けられ且つハンガーを掛止可能な第３掛止桿と、前記第２掛止桿と前記第３掛止桿とを連結する連結部と、を有し、前記第２掛止桿と前記第３掛止桿とが略平行である。
好ましくは、前記第３掛止桿が前後方向に揺動可能である。
【０００９】
また、前記課題を解決するために本発明は、ハンガーを掛止可能な主桿と、前記主桿に固着された揺動基端部と、前記揺動基端部に揺動可能に一端が取付けられている連結部と、前記主桿から下方に間隔をあけて前記連結部の他端に取付けられ且つハンガーを掛止可能な掛止桿と、を有し、前記主桿と前記掛止桿とが略平行であり、前記掛止桿が前後方向に揺動可能なハンガー掛止構造体を提供する。
【発明の効果】
【００１０】
本発明のハンガー掛止具を使用すれば、主桿に直接衣服ハンガーを掛止する場合に比して、より多くの衣服ハンガーを掛止することができる。また、本発明のハンガー掛止具は、上記構成からなるので、それ自体嵩張らず、従来のものに比してコンパクトに保管・運搬することができる。
【図面の簡単な説明】
【００１１】
【図１】第１実施形態に係るハンガー掛止具の正面図。主桿を仮想線（二点鎖線）で示している（以下、図２乃至図２１も同じ）。
【図２】図１のＩＩ−ＩＩ線で切断した断面図。第２掛止桿が回動した状態を仮想線（二点鎖線）で示し、両矢印線で回動方向を示している（以下、図６、図８、図１０、図１２、図１４、図１６、図２３も同じ）。
【図３】同ハンガー掛止具の側面図。
【図４】同ハンガー掛止具に衣服ハンガーを掛止した際の側面図。衣服ハンガーを仮想線（二点鎖線）で示している（以下、図１７、図１９も同じ）。
【図５】同ハンガー掛止具に係る第１変形例の正面図。
【図６】図５のＶＩ−ＶＩ線で切断した断面図。
【図７】同ハンガー掛止具に係る第２変形例の正面図。
【図８】図７のＶＩＩＩ−ＶＩＩＩ線で切断した断面図。
【図９】同ハンガー掛止具に係る第３変形例の正面図。
【図１０】図９のＸ−Ｘ線で切断した断面図。
【図１１】同ハンガー掛止具に係る第４変形例の正面図。
【図１２】図１１のＸＩＩ−ＸＩＩ線で切断した断面図。
【図１３】同ハンガー掛止具に係る第５変形例の正面図。
【図１４】図１３のＸＩＶ−ＸＩＶ線で切断した断面図。
【図１５】同ハンガー掛止具に係る第６変形例の正面図。
【図１６】図１５のＸＶＩ−ＸＶＩ線で切断した断面図。
【図１７】同ハンガー掛止具に衣服ハンガーを掛止した際の側面図。
【図１８】同ハンガー掛止具に係る第７変形例の正面図。
【図１９】同第７変形例のハンガー掛止具に衣服ハンガーを掛止した際の側面図。
【図２０】同ハンガー掛止具に係る第８変形例の正面図。
【図２１】同ハンガー掛止具に係る第９変形例の正面図。
【図２２】第２実施形態に係るハンガー掛止構造体の正面図。
【図２３】図２２のＸＸＩＩＩ−ＸＸＩＩＩ線で切断した断面図。
【図２４】同ハンガー掛止構造体に係る変形例の正面図。
【発明を実施するための形態】
【００１２】
以下、本発明の好ましい実施形態について、図面を参照しつつ具体的に説明する。
なお、各部の用語の接頭語として、第１、第２などを付す場合があるが、各接頭語は、用語を区別するために付加されたものであり、各部の順序や優劣などを意味しない。
また、本願において、方向性を示す用語として、上は鉛直方向の天側を指し、下はその反対側を指し、左は主桿の軸方向一方側を指し、右はその反対側を指し、前は上下方向及び左右方向の何れにも垂直な方向の一方側を指し、後はその反対側を指す。
【００１３】
［第１実施形態］
本実施形態のハンガー掛止具１は、第１掛止桿４１と第１掛止桿４１の下方に設けられた第２掛止桿４２とを有する。第２掛止桿４２は前後方向に回動可能（揺動可能）である。
図１乃至図４において、このハンガー掛止具１は、主桿３に取付けられる取付部７を有し、取付部７の下方に第１掛止桿４１が取付けられている。前記第１掛止桿４１の下方に、揺動基端部５と連結部６とを介して、第２掛止桿４２が連結されている。
【００１４】
＜主桿＞
ハンガー掛止具１が取付けられる主桿３は、衣服ハンガー９１，９２を掛止するために用いられる部材である。主桿３は、従来のクローゼットなどに設けられたものと同様に、長尺状部材である。主桿３は、特に限定されず、例えば、洋服ダンス、クローゼット、ロッカー、四角枠状のパイプ組立て式ハンガー、カーテン付きパイプハンガー、押入れ収納用パイプハンガーなどに具備されたものが例示できる。主桿３の両端部は、クローゼットなどの側壁面、支柱などに取付けられ、主桿３は水平方向に支持されている。
【００１５】
＜取付部＞
取付部７は、第１掛止桿４１を主桿３に取付けるための部分である。取付部７の数は、特に限定されないが、通常、２つ以上であって、図示例では、２つの取付部７，７が設けられている。
取付部７の形状は、特に限定されない。取付部７の形状は、第１掛止桿４１を主桿３に着脱可能且つ安定的に取付けできる形状が好ましい。このような形状としては、例えば、鉤状などが挙げられる。
本実施形態において取付部７は、図１に示すように、筒状部７１と、前記筒状部７１に回動可能に保持された軸部７２と、前記軸部７２の上方に一体的に設けられた鉤状の円弧部７３と、を有する。
前記筒状部７１は、第１掛止桿４１に固着されている。この筒状部７１の内部には、上端面略中央部から下方向に延びる円筒空洞と、その円筒空洞の下端部に連なって、円筒空洞の直径よりも大きい拡大空洞と、が形成されている。前記軸部７２の下端部には、直径が前記円筒空洞よりも大きく且つ拡大空洞よりも小さい抜止め部が形成されている（抜止め部、円筒空洞及び拡大空洞は不図示）。抜止め部を含む軸部７２の下方部分が、筒状部７１の円筒空洞及び拡大空洞に遊嵌されている。従って、軸部７２は、上方に抜けることなく且つ上方から見てその軸周りに回動可能である。円弧部７３は、軸部７２に一体的に連設されており、軸部７２から上方に延びつつ円弧状に曲げられている。円弧部７３の先端側は開放端とされ、その開放端から主桿３に掛脱可能である。
なお、取付部７の形状として前記鉤状を採用する場合、主桿３に掛脱をし易いように、円弧部７３の内径は４０ｍｍ〜５０ｍｍであることが好ましい。また、取付部７の上下方向の長さＬは４０ｍｍ〜１００ｍｍが好ましい。取付部７の上下方向の長さＬとは、図２に示すように、ハンガー掛止具１が主桿３に取付けられた状態において、第１掛止桿４１の上面（取付部７が第１掛止桿４１に固着されている位置）から、主桿３の上面（取付部７を主桿３に取付けた際に取付部７が主桿３の上面に接する位置）までの長さである。取付部７の上下方向の長さＬが短すぎると第１掛止桿４１に衣服ハンガー９１，９２を掛止し難くなり、長すぎると第１掛止桿４１及び第２掛止桿４２に掛止された衣服ハンガー９１，９２に掛けられた衣服が収納スペースの下壁面などに接触し、衣服に埃が付着する虞がある。
取付部７の第１掛止桿４１への取付け位置は、第１掛止桿４１を主桿３に安定的に取付けできれば特に限定されず、例えば、第１掛止桿４１の左右端部又は中央部などが挙げられる。本実施形態において、図１に示すように、一方の取付部７は第１掛止桿４１の左端部の上側に取付けられ、且つ、他方の取付部７は第１掛止桿４１の右端部の上側に取付けられている。
【００１６】
＜掛止桿＞
第１掛止桿４１及び第２掛止桿４２は、衣服ハンガー９１，９２を掛止可能な長尺状部材である。第１掛止桿４１及び第２掛止桿４２の形状は、特に限定されず、前方から見て直線状、曲線状、折線状などでもよい。本実施形態において、図１及び図２に示すように、第１掛止桿４１及び第２掛止桿４２は左右方向に延びる直線状である。
第１掛止桿４１及び第２掛止桿４２は、断面形状が円形の管状部材から形成されている。もっとも、第１掛止桿４１及び第２掛止桿４２の断面形状は、円形状に限られず、例えば、楕円形状、多角形状などでもよい。また、第１掛止桿４１及び第２掛止桿４２の部材は、管状部材に限られず、中実部材でもよい。
第１掛止桿４１と第２掛止桿４２は、互いに略平行に配置されている。好ましくは、第１掛止桿４１と第２掛止桿４２は、上方及び前方から見て略平行（ねじれの位置関係でない略平行）に設けられている。本願において、略平行は、本発明の属する技術分野において許容される誤差範囲を含むものとする。例えば、略平行は、０度±１０度の範囲内であることを意味し、好ましくは、±５度の範囲内である。
第１掛止桿４１と第２掛止桿４２は、左右方向の長さが等しい。もっとも、第１掛止桿４１と第２掛止桿４２の一方が他方よりも長くてもよい。
第２掛止桿４２は第１掛止桿４１から下方に間隔をあけて設けられている。
その好ましい間隔は、第１掛止桿４１に掛止された衣服ハンガー９１の一部が第２掛止桿４２に接触するような間隔である。具体的には、前記間隔は、例えば４０ｍｍ〜９０ｍｍであり、好ましくは、５０ｍｍ〜８０ｍｍであり、更に好ましくは、６０ｍｍ〜７０ｍｍである。前記間隔が短すぎると、第２掛止桿４２に衣服ハンガー９２を掛止し難くなり、一方、前記間隔が長すぎると、第１掛止桿４１に掛止された衣服ハンガー９１の一部が第２掛止桿４２に接触しなくなったり、更には、衣服ハンガー９２に掛けられた衣服の下部が収納スペースの下壁面に接触して、衣服に埃が付着する虞がある。
【００１７】
＜揺動基端部及び連結部＞
揺動基端部５は、第２掛止桿４２が前後方向に回動するにあたり、その回動の基端となる部分である。連結部６は、揺動基端部５（第１掛止桿４１）と第２掛止桿４２とを連結する部分である。揺動基端部５及び連結部６の構造は、第２掛止桿４２を前後方向に回動可能に支持できる構造であれば特に限定されず、例えば、ヒンジ構造、ボール軸受け構造などが挙げられる。
図示例では、揺動基端部５及び連結部６の構造として、回動可能なヒンジ構造を採用している。具体的には、揺動基端部５は、それぞれ円筒状の部材からなる。揺動基端部５，５は、例えば、２つ設けられ、それぞれ第１掛止桿４１に固着されている。揺動基端部５の第１掛止桿４１への取付け位置は、特に限定されず、例えば、第１掛止桿４１の左右端部又は中央部などが挙げられる。本実施形態においては、一方の揺動基端部５は、第１掛止桿４１の左端部の下側に取付けられ、且つ、他方の揺動基端部５は、第１掛止桿４１の右端部の下側に取付けられている。
【００１８】
連結部６は、揺動基端部５の数に対応して設けられている。図示例では、揺動基端部５，５が２つ設けられているので、連結部６も２つ設けられている。一対の連結部６，６はそれぞれコ字状に形成された棒状部材からなる。
連結部６の一端部の直径は、揺動基端部５の内周面の直径よりも小さい。この連結部６の一端部は、前記揺動基端部５内に遊嵌されている。連結部６の他端部は、第２掛止桿４２に固着されている。従って、揺動基端部５を回動中心として、連結部６の一端部が回動可能であり、連結部６の他端部に設けられた第２掛止桿４２は、図２に示す矢印及び二点鎖線で示すように、前後方向に回動する。
本実施形態に係るハンガー掛止具１においては、第２掛止桿４２が揺動基端部５，５を中心として回動する。このため、第２掛止桿４２を前後に大きく揺り動かした際、揺動基端部５よりも上方に設けられた取付部７は大きく傾むき難くなる。よって、ハンガー掛止具１の使用時に、取付部７が傾いて主桿３から不用意に外れ難く、主桿３にハンガー掛止具１を安定的に取付けておくことができる。
なお、前記揺動基端部５及び連結部６の数は、特に限定されない。掛止桿が比較的長く、衣服ハンガーの重さでそれが変形する虞がある場合などには、３つ以上の揺動基端部５及び連結部６を設けてもよい。より多くの揺動基端部５及び連結部６を設けることによって、掛止桿に加わる荷重を分散して、掛止桿の変形を予防することができる。また、掛止桿が比較的短く、前記変形の虞がない場合などには、１つの揺動基端部５及び連結部６であってもよい。
【００１９】
なお、前記取付部７、掛止桿４及び連結部６は、金属、合成樹脂、木などの公知の材料を用いて形成できるが、好ましくは、金属又は合成樹脂である。
【００２０】
上記本実施形態のハンガー掛止具１の使用態様について図面を参照しつつ説明する。
まず、取付部７にて、ハンガー掛止具１を主桿３に掛止する。すると、図３に示すように、第２掛止桿４２が第１掛止桿４１の下方に前後のずれなく垂下する。
次に、第１掛止桿４１に衣服ハンガー９１を掛け、そのハンガー９１に隣接するように第２掛止桿４２に衣服ハンガー９２を掛止すると、第１掛止桿４１に掛止された衣服ハンガー９１の一部と第２掛止桿４２とが接触し、衣服ハンガー９１の一部と第２掛止桿４２とが互いに押し合うように作用する（図４参照）。そして、第２掛止桿４２は揺動可能であるため、第２掛止桿４２と（第１掛止桿４１に掛止された）衣服ハンガー９１とが、第１掛止桿４１の軸芯を通る上下方向線を基準にして、互いに前後反対方向にずれることとなる。このため、図４に示すように、第１掛止桿４１と第２掛止桿４２が前後上下にずれると共に、隣合う衣服ハンガー９１，９２も、前後上下に位置ずれした状態で掛止される。例えば、肩部のような特定の部位が他の部分に比べて厚みのある衣服ハンガー９１，９２を、第１掛止桿４１と第２掛止桿４２に左右交互に掛けることによって、隣合う衣服ハンガー９１，９２の厚肉部分が重ならず、隣合う衣服ハンガー９１，９２を厚肉部分よりも間隔を狭めて左右に詰めることができる。さらに、第１掛止桿４１及び第２掛止桿４２に、衣服ハンガー９１，９２を交互に掛けていくことにより、収納スペース全体（主桿３の軸方向全体）に衣服ハンガーを収納できる。
本発明のハンガー掛止具１を用いることにより、主桿３に直接掛止する場合に比して、所定の収納スペースに衣服ハンガーをより多く収納でき、既存の洋服ダンスやクローゼットなどの収納スペースを有効に活用することができる。また、本発明のハンガー掛止具１は、第２掛止桿４２が揺動可能であるため、ハンガー掛止具１の不使用時には、第１掛止桿と第２掛止桿を平坦状に揃えることができる。このため、本発明のハンガー掛止具１は、それ自体嵩張らず、従来のものに比してコンパクトに保管・運搬することができる。
【００２１】
［第１変形例］
下記変形例の説明に於いて、主として前記実施形態と異なる構成及び効果について説明し、上記実施形態と同様の構成などについては、その説明を省略し、用語及び符号を援用する。
本変形例に係るハンガー掛止具１は、図５に示すように、取付部７と揺動基端部５と第１掛止桿４１と連結部６と第２掛止桿４２とを有する。揺動基端部５，５は、第１掛止桿４１の左右両端部の上側に取付けられている。そして、揺動基端部５には上方より取付部７が取付けられている。また、第２掛止桿４２は第１掛止桿４１に、連結部６を介して固定されている。連結部６は第１掛止桿４１及び第２掛止桿４２の左右端部よりも内側の中途部に固定されている。
本変形例の取付部７の垂下した軸の下端部は、前方から見て逆Ｔ字状に形成されている。その逆Ｔ字部は、円形の断面形状を有する。
揺動基端部５は、２つの円筒状部材で構成されている。その２つの円筒状部材は同軸上に設けられている。また、その円筒状部材の内径は、取付部７の下部の逆Ｔ字部の直径よりも大きい。そして、前記揺動基端部５の２つの円筒状部材で挟むようにして、取付部７の下部の逆Ｔ字部が２つの円筒状部材に遊嵌されている。２つの円筒状部材の間隔は、前記取付部７の逆Ｔ字状部に垂下した軸の軸径より広く、且つ、前記逆Ｔ字状部の幅の半分よりも狭い。
前記揺動基端部５は、第１掛止桿４１に固着されている。第２掛止桿４２は、連結部６を介して第１掛止桿４１に取付けられている。従って、揺動基端部５を回動中心として、第１掛止桿４１が前後方向に回動可能であり、第１掛止桿４１に連結部６を介して取付けられた第２掛止桿４２は、図６に示す矢印及び二点鎖線で示すように、第１掛止桿４１より大きく前後方向に回動する。
第２掛止桿４２は第１掛止桿４１に２つの連結部６，６を介して固定されている。その固定位置は、第２掛止桿４２の左右端部よりも内方の中途部に固定されている。これにより、第２掛止桿４２の衣服ハンガー９１，９２が掛止できる部分が連結部６，６によって区切られ、第２掛止桿４２に掛止された衣服ハンガー９１，９２は連結部６，６を越えて第２掛止桿４２の上を左右方向にずれ動くことがなくなる。
したがって、本変形例に係るハンガー掛止具１は、服の種類又は持ち主などによって分類された衣服ハンガー９１，９２を、第２掛止桿４２の区切られた部分に分割して整理した状態を保って掛止できる。
好ましくは、第２掛止桿４２に掛止された衣服ハンガー９２が、第２掛止桿４２の両端から脱落しないように、第２掛止桿４２にストッパー部４２１が設けられる。ストッパー部４２１は、第２掛止桿４２から上方に突出しているものである。好ましいストッパー部４２１は、側部に鉛直方向の直線部を有し、第２掛止桿４２から上方に突出している。本変形例に係るハンガー掛止具１においては、図５に示すように、第２掛止桿４２の両端が上方に曲げられることにより、第２掛止桿４２と一体的にストッパー部４２１，４２１が形成されている。
なお、ストッパー部４２１の構造は、特に限定されず、第２掛止桿４２に別部材を取付ける構造でも良く、また、第２掛止桿４２と一体的な構造でもよい。また、ストッパー部４２１の位置は、特に限定されない。第２掛止桿４２の端部でもよいし、中間部でもよい。
【００２２】
［第２変形例］
本変形例に係るハンガー掛止具１は、図７に示すように、取付部７と揺動基端部５と第１掛止桿４１と連結部６と第２掛止桿４２とを有する。揺動基端部５，５は、第１掛止桿４１の左右両端部の上側に取付けられている。そして、揺動基端部５には上方より取付部７が取付けられている。また、第２掛止桿４２は第１掛止桿４１に、連結部６を介して固定されている。
本変形例の取付部７の垂下した軸の下端部には、前方から見てＵ字状のＵ字部が形成されている。そのＵ字部は、円形の断面形状を有する。
揺動基端部５は、開口を有する板状部材で形成されている。その開口の内径は、取付部７の下部のＵ字部の直径よりも大きい。そして、前記揺動基端部５の開口に、取付部７の下部のＵ字部が遊嵌されている。
前記揺動基端部５は、第１掛止桿４１に固着されている。第２掛止桿４２は、連結部６を介して第１掛止桿４１に取付けられている。従って、前記揺動基端部５の開口を回動中心として、第１掛止桿４１が前後方向に回動可能であり、第１掛止桿４１に連結部６を介して取付けられた第２掛止桿４２は、図８に示す矢印及び二点鎖線で示すように、第１掛止桿４１より大きく前後方向に回動する。
【００２３】
［第３変形例］
本変形例に係るハンガー掛止具１は、図９に示すように、揺動基端部５が第１掛止桿４１の同軸上に設けられている。また、連結部６と第１掛止桿４１と第２掛止桿４２とが、コ字状に曲げられた１つの棒状部材からなる。コ字状の棒状部材の側辺を連結部６とし、上辺を第１掛止桿４１とし、下辺を第２掛止桿４２として一体的に形成されている。
連結部６と第１掛止桿４１と第２掛止桿４２とが一体的に形成されることにより、製造時の作業工数などを削減でき、コストを下げて製造を行うことができる。また、図９に示すように、第１掛止桿４１と第２掛止桿４２は、その左端のみが連結部６により連結しているため、第１掛止桿４１及び第２掛止桿４２の他端側は自由端となっている。これにより、ハンガー掛止具の側方からも衣服ハンガー９２を第２掛止桿４２に掛ける事ができる。
本変形例においては、揺動基端部５は筒状部材から形成されている。揺動基端部５の筒状部材の内径は、第１掛止桿４１をなす棒状部材の上辺の直径よりも大きい。そして、揺動基端部５の筒状部材に第１掛止桿４１が摺動可能に挿通されている。第１掛止桿４１には、第１掛止桿４１が左右にずれ動かないように、係止片が取付けられている。具体的には、第１掛止桿４１には、第１掛止桿４１に挿通された揺動基端部５の左右両端近傍に、第１掛止桿４１の周に沿った溝が設けられている。そして、その溝に係止片であるＣリング４１１がはめ込まれている。従って、揺動基端部５を回動中心として、第１掛止桿４１が回動し、第１掛止桿４１に連結部６を介して取付けられた第２掛止桿４２は、図１０に示す矢印及び二点鎖線で示すように、前後方向に回動する。また、第１掛止桿４１が左右にずれ動くこともない。
好ましくは、第２掛止桿４２に掛止された衣服ハンガー９２が、第２掛止桿４２の右端から脱落しないように、第２掛止桿４２の右端にストッパー部４２１が設けられる。本変形例に係るハンガー掛止具１においては、図９に示すように、第２掛止桿４２の右端が上方に曲げられることによりストッパー４２１部が形成されている。
【００２４】
［第４変形例］
本変形例に係るハンガー掛止具１は、図１１に示すように、第１掛止桿４１と第２掛止桿４２の上下方向における略中間位置に揺動基端部５が設けられている。具体的には、第１掛止桿４１と第２掛止桿４２が、上方から順に、上側連結部６０１と揺動基端部５と下側連結部６０２とを介して連結されている。
上側連結部６０１の上部は第１掛止桿４１に固着されている。上側連結部６０１の下端部には軸穴が穿設されている。
下側連結部６０２の下部は第２掛止桿４２に固着されている。下側連結部６０２の上端部には軸穴が穿設されている。
揺動基端部５は、軸穴が穿設された上側連結部６０１の下端部と、軸穴が穿設された下側連結部６０２の上端部と、係止ピンとから構成される。係止ピンは、上記上側連結部６０１及び下側連結部６０２に穿設された軸穴の直径よりも細い円形棒材からなる。そして、係止ピンは、前記上側連結部６０１の軸穴と前記下側連結部６０２の軸穴とに遊嵌されている。その遊嵌された係止ピンの円形棒材の両端は、上記上側連結部６０１及び下側連結部６０２に穿設された軸穴の直径よりも大きく形成されている。
従って、揺動基端部５を回動中心として、下側連結部６０２の一端部が回動可能であり、下側連結部６０２の他端部に取付けられた第２掛止桿４２は、図１２に示す矢印及び二点鎖線で示すように、前後方向に回動する。
本変形例においては、揺動基端部５を第２掛止桿４２に近づけることで、図１２に示すように、第２掛止桿４２の回動半径が小さくなる。このように、揺動基端部５と第２掛止桿４２との距離を調整することによって、第２掛止桿４２の回動する前後方向の範囲を制限することができる。例えば、収納スペースの前後方向が狭い場合に、揺動基端部５と第２掛止桿４２との距離を近づけることで、収納スペース内に衣服ハンガー９１、９２が納まるように第２掛止桿４２の前後方向の揺動範囲を小さくできる。
【００２５】
［第５変形例］
本変形例に係るハンガー掛止具１は、第１掛止桿４１と第２掛止桿４２と第３掛止桿４３とを有し、第３掛止桿４３のみが前後方向に回動可能である。
本変形例のハンガー掛止具１は、図１３に示すように、取付部７の下方に第１掛止桿４１が取付けられている。第１掛止桿４１の下方に第１連結部６１を介して第２掛止桿４２が取付けられている。そして、第２掛止桿４２の下方に揺動基端部５と第２連結部６２を介して第３掛止桿４３が取付けられている。従って、揺動基端部５を回動中心として、第２連結部６２の一端部が回動可能であり、第２連結部６２の他端部に設けられた第２掛止桿４２は、図１４に示す矢印及び二点鎖線で示すように、前後方向に回動する。
【００２６】
［第６変形例］
本変形例に係るハンガー掛止具１は、図１５及び図１６に示すように、取付部７と第１掛止桿４１と第２掛止桿４２及と第３掛止桿４３と揺動基端部５と第１連結部６１と第２連結部６２とを有する。そして第２掛止桿４２は前後方向に回動可能に設けられている。
【００２７】
本変形例のハンガー掛止具１の使用態様について図面を参照しつつ説明する。
まず、ハンガーが掛けられていない本変形例のハンガー掛止具１を主桿３に掛止した場合、図１６の実線で描かれている状態になる。本変形例のハンガー掛止具１は、予め、第１連結部６１と第２連結部とが左右方向から見て一定の角度で固定されている。これにより、第２掛止桿４２と第３掛止桿４３が常に前後上下にずれた状態となる。従って、図１７に示すように、前後上下にずれた状態の第２掛止桿４２と第３掛止桿４３に多くの衣服ハンガー９１，９２を掛止できる。さらには、第２掛止桿４２及び第３掛止桿４３だけでは掛止しきれない数の衣服ハンガー９１，９２がある場合には、第１掛止桿４１に衣服ハンガー９１，９２を掛止することができる。
【００２８】
［第７変形例］
本変形例に係るハンガー掛止具１は、図１８に示すように、取付部７と第１掛止桿４１と第２掛止桿４２と第３掛止桿４３と揺動基端部５と第１連結部６１と第２連結部６２とを有する。そして、第２掛止桿４２及び第３掛止桿４３はそれぞれ前後方向に回動可能に設けられている。
衣服ハンガー９１，９２を掛止していない本変形例におけるハンガー掛止具１を主桿３に取付けると、第２掛止桿４２と第３掛止桿４３とが第１掛止桿４１の下方に前後のずれなく垂下する（不図示）。次に、本変形例におけるハンガー掛止具１の第２掛止桿４２と第３掛止桿４３とに衣服ハンガー９１，９２を掛止すると、図１９に示すように、第２掛止桿４２と第３掛止桿４３が前後上下にずれた状態となる。
【００２９】
［第８変形例］
本変形例のハンガー掛止具１は、第１掛止桿４１と第２掛止桿４２の軸方向に伸縮可能である。
本変形例のハンガー掛止具１の第１掛止桿４１及び第２掛止桿４２は、図２０に示すように、各々第１棒状部材４０１と第２棒状部材４０２とを有する。第２棒状部材４０２は第１棒状部材４０１に対して出退可能に構成されている。第２棒状部材４０２が第１棒状部材４０１に対して出退する構造は、特に限定されない。
本変形例においては、第１棒状部材４０１は筒状の構造をしている。第２棒状部材４０２は第１棒状部材４０１の内側の空間に挿入脱可能な径の細長部材で形成されている。
【００３０】
従って、本変形例の第１掛止桿４１及び第２掛止桿４２は、第２棒状部材４０２が第１棒状部材４０１に出退可能な構成になっているため、軸方向に伸縮できる。
そして、掛止される主桿３の左右方向の長さに応じて、ハンガー掛止具１を伸縮して調整することができる。また、ハンガー掛止具１を不使用でかたづける際、短く縮めることで、コンパクトにかたづけることができる。
【００３１】
［第９変形例］
本変形例に係るハンガー掛止具１は、図２１に示すように、取付部７と第１掛止桿４１と第２掛止桿４２と第３掛止桿４３と第１連結部６１と第２連結部６２と揺動基端部５とを有する。
第１乃至第３掛止桿４１，４２，４３は、それぞれが一対の第１棒状部材４０１，４０１と、前記第１棒状部材４０１に出退可能な第２棒状部材４０２とを有する。このことにより、前述と同様に、第１乃至第３掛止桿４１，４２，４３の軸方向に伸縮が可能となっている。
また、本変形例に係るハンガー掛止具１は、４つの取付部７及び第１連結部６１、第２連結部６２とを備えることで、第１乃至第３掛止桿４１，４２，４３にかかる衣服ハンガー９１，９２などの重さによる負荷を分散でき、負荷による第１乃至第３掛止桿４１，４２，４３の変形などを防止することができる。
【００３２】
［第２実施形態］
本実施形態に係るハンガー掛止構造体２は、ハンガーが掛止可能な主桿３と、前記主桿３に固着された揺動基端部５と、前記揺動基端部５に揺動可能に一端が取付けられている連結部６と、前記主桿３から下方に間隔をあけて前記連結部６の他端に取付けられ且つハンガーを掛止可能な掛止桿４と、を有し、前記主桿３と前記掛止桿４とが略平行であり、前記掛止桿４が前後方向に回動可能である。
【００３３】
本実施形態におけるハンガー掛止構造体２は、図２２に示すように、主桿３と、主桿３に固着された揺動基端部５，５と、揺動基端部５，５に一端が取付けられた連結部６，６と、連結部６，６の他端に固着された掛止桿４とを有する。
本実施形態において、図２３に示すように、揺動基端部５は、揺動基端部主部５１と締結片５２と締結ネジ５３とを有する。
揺動基端主部５１は凹部と軸受穴５１１と締結ねじ穴５１２とを有する。
締結片５２は凹部と披締結ねじ穴５２１とを有する。
揺動基端主部５１と締結片５２とは、互いの凹部で主桿３を挟むようにして取付けられている。この、主桿３を挟むように取付けられた揺動基端主部５１の凹部と締結片５２との凹部で円筒状をなす。そして、揺動基端主部５１の締結ねじ穴５１と締結片５２の披締結ねじ穴５２１とに通された締結ネジ５２１で締め付けて、締結片５２と揺動基端主部５１とで主桿３を挟持することで、揺動基端部５を主幹３に固着する。
揺動基端主部５１は主桿３の軸方向と平行方向に軸を持つ軸受穴５１１が設けられている。軸受穴５１１の内径は、連結部６の一端部の直径よりも大きく設けられている。軸受穴５１１には連結部６の一端部が遊嵌されている。軸受穴５１１に遊嵌された連結部６の一端側の先端部は、軸受穴５２の奥側から突出している。その突出している連結部６の一端側の先端部には、連結部６が軸受穴５２から抜けないように、係止部が設けられている。前記抜係止部は、連結部６の一端側の先端部の周方向に設けられた溝にＣリングを嵌めたものである。連結部６の他端部は、掛止桿４に固着されている。従って、揺動基端主部５１の軸受け穴５１１を回動中心として、連結部６の一端部が回動可能であり、連結部６の他端部に設けられた掛止桿４は、図２３に示す矢印及び二点鎖線で示すように、前後方向に回動する。
【００３４】
本実施形態のハンガー掛止構造体２は、前記の構造を有することで、主桿３に直接掛止する場合に比して、左右の衣服ハンガー９１，９２の間隔を詰めることができる。洋服ダンスやクローゼットなどに衣服を多数収納することが可能となるハンガー掛止構造体２を具備した洋服ダンス、クローゼット、ロッカー、組み立て式ハンガーを提供できる。
【００３５】
［変形例］
本変形例に係るハンガー掛止構造体２は、図２４に示すように、伸縮可能な掛止桿４を備え、前記掛止桿４は、一対の第１棒状部材４０１と、第２棒状部材４０２とを有する。
伸縮する際は、主桿３に取付けられた揺動基端部５，５の締結ねじ５３，５３，５３，５３を緩めることにより、揺動基端部５，５を主幹の横方向に移動可能とする。そして、揺動基端部５，５を主幹の左右に動かすことに対応して、掛止桿４の第２棒状部材４０２が第１棒状部材４０１に出退し、掛止桿４が伸縮する。
この構成により、掛止される衣服ハンガー９１，９２の数に応じて、掛止桿４を軸方向に伸縮し、ハンガー掛止構造体２の幅を調整することができる。
【符号の説明】
【００３６】
１…ハンガー掛止具、２…ハンガー掛止構造体、３…主桿、４…掛止桿、４１…第１掛止桿、４２…第２掛止桿、４３…第３掛止桿、４０１…第１棒状部材、４０２…第２棒状部材、５…揺動基端部、５１…揺動基端主部、５２…締結片、５３…締結ねじ、６…連結部、６１…第１連結部、６２…第２連結部、７…取付部、９１、９２…衣服ハンガー
【図１】
2015136462.tif 000003
【図２】
2015136462.tif 000004
【図３】
2015136462.tif 000005
【図４】
2015136462.tif 000006
【図５】
2015136462.tif 000007
【図６】
2015136462.tif 000008
【図７】
2015136462.tif 000009
【図８】
2015136462.tif 000010
【図９】
2015136462.tif 000011
【図１０】
2015136462.tif 000012
【図１１】
2015136462.tif 000013
【図１２】
2015136462.tif 000014
【図１３】
2015136462.tif 000015
【図１４】
2015136462.tif 000016
【図１５】
2015136462.tif 000017
【図１６】
2015136462.tif 000018
【図１７】
2015136462.tif 000019
【図１８】
2015136462.tif 000020
【図１９】
2015136462.tif 000021
【図２０】
2015136462.tif 000022
【図２１】
2015136462.tif 000023
【図２２】
2015136462.tif 000024
【図２３】
2015136462.tif 000025
【図２４】
2015136462.tif 000026